(57)【特許請求の範囲】
【請求項１】
洗濯物を洗濯，脱水する洗濯槽内の空気を水冷式除湿器に循環させて冷却除湿することにより洗濯槽内の洗濯物を乾燥させる洗濯乾燥機において、
前記水冷式除湿器は、空気を循環させる風路内に略垂直な壁面を形成するように設置した金属製の熱交換板と、前記熱交換板の前記壁面の上部に該壁面に沿うように冷却水を流し出して該壁面を伝わせて流下させる冷却水供給管と、前記壁面の冷却水流下領域に該壁面に沿って流下する冷却水をジグザグ状態に案内するように該壁面に設けた冷却水流下面積拡大部材を備え、前記冷却水供給管は、前記熱交換板の壁面と冷却水流下面積拡大部材の上面によって形成される角部内を該冷却水流下面積拡大部材上に沿って溢れ出ないで流れる程度の流量の冷却水を前記壁面に供給するようにしたことを特徴とする洗濯乾燥機。
【請求項２】
通風路を流れる空気を冷却水に直に接触させて冷却する水冷式熱交換器において、
前記通風路は、風路内に略垂直な壁面を形成するように設置した金属製の熱交換板と、前記熱交換板の前記壁面の上部に該壁面に冷却水を流し出して該壁面を伝わせて流下させる冷却水供給管と、前記壁面の冷却水流下領域に該壁面に沿って流下する冷却水をジグザグ状態に案内するように該壁面に設けた冷却水流下面積拡大部材を備え、前記冷却水供給管は、前記熱交換板の壁面と冷却水流下面積拡大部材の上面によって形成される角部内を該冷却水流下面積拡大部材上に沿って溢れ出ないで流れる程度の流量の冷却水を前記壁面に供給するようにしたことを特徴とする水冷式熱交換器。
【請求項３】
通風路を流れる空気を冷却水に直に接触させて冷却する水冷式熱交換器において、
前記通風路は、風路内に略垂直な壁面を形成するように設置した金属製の熱交換板と、前記熱交換板の前記壁面の上部に該壁面に冷却水を流し出して該壁面を伝わせて流下させる冷却水供給管と、前記熱交換板の前記壁面の冷却水流下領域に該壁面に沿って流下する冷却水を垂直方向に案内するように該壁面に垂直方向に伸びるように設けた複数の突条を横方向に並べて配置した冷却水流下面積拡大部材を備え、前記冷却水供給管は、前記熱交換板の壁面と冷却水流下面積拡大部材によって形成される角部内を流下する冷却水が該冷却水流下面積拡大部材上に沿って溢れ出ないで流れる程度の流量の冷却水を前記壁面に供給するようにしたことを特徴とする水冷式熱交換器。
【請求項４】
請求項１において、前記水冷式除湿器は、前記熱交換板を設置した前記風路内を前記空気が下から上に向かって流れるように構成したことを特徴とする洗濯乾燥機。
【請求項５】
請求項２または３において、前記通風路は、前記熱交換板を設置した前記風路内を前記空気が下から上に向かって流れるように構成したことを特徴とする水冷式熱交換器。
【発明の詳細な説明】
【０００１】
【発明の属する技術分野】
本発明は、洗濯乾燥機および水冷式熱交換器に関する。
【０００２】
【従来の技術】
洗濯，脱水および乾燥を行う洗濯乾燥機は、特開平１１−３４７２８２号公報に記載されているように、送風機によって洗濯槽から吸い出した空気を水冷除湿する水冷式熱交換器と、除湿した空気を加熱して洗濯槽内に吹き込むヒータを備える。前記水冷式熱交換器は、洗濯槽から吸い出した湿潤空気を除湿する除湿ダクト内に冷却水を供給し、除湿ダクト内を流れる空気の流勢によって冷却水の水滴を跳ね上げて空気と冷却水の接触による熱交換（冷却除湿）効率を高めるように構成している。
【０００３】
【発明が解決しようとする課題】
しかしながら、洗濯乾燥機においては、水冷式熱交換器の下流側に空気を加熱するヒータが存在するために、熱交換器内で発生した水滴が循環空気に乗って前記ヒータの位置まで飛翔しないようにすることが必要である。
【０００４】
熱交換器内で発生した水滴が該熱交換器内に止めるために該熱交換器内の出口部に水滴を落下させるための部屋を設けると熱交換器が大型化し、水滴遮蔽リブを設けると通風抵抗が増加して通風量が低下する問題がある。
【０００５】
本発明の１つの目的は、空気と冷却水の接触面積を広めて熱交換（冷却除湿）効率を高めると共に水滴が空気に乗って下流側に飛翔するのを防止することにある。
【０００６】
本発明の他の目的は、更に、前述したような水冷式熱交換器（水冷除湿器）を小型に構成することにある。
【０００７】
本発明の他の目的は、更に、前述したような水冷式熱交換器（水冷除湿器）を小さな通風抵抗で実現することにある。
【０００８】
【課題を解決するための手段】
本発明の洗濯乾燥機は、洗濯物を洗濯，脱水する洗濯槽内の空気を水冷式除湿器に循環させて冷却除湿することにより洗濯槽内の洗濯物を乾燥させる洗濯乾燥機において、前記水冷式除湿器は、空気を循環させる風路に面する略垂直な壁面の上部に該壁面に冷却水を流し出して該壁面を伝わせて流下させる冷却水供給管と、前記壁面の冷却水流下領域に設けた冷却水流下面積拡大部材を備えたことを特徴とする。
【０００９】
また、本発明の水冷式熱交換器は、通風路を流れる空気を冷却水に直に接触させて冷却する水冷式熱交換器において、前記通風路は、風路に面する略垂直な壁面の上部に該壁面に冷却水を流し出して該壁面を伝わせて流下させる冷却水供給管と、前記壁面の冷却水流下領域に設けた冷却水流下面積拡大部材を備えたことを特徴とする。
【００１０】
【発明の実施の形態】
以下、本発明の実施の形態を図面を参照して説明する。
【００１１】
図１は、本発明の第１の実施の形態における洗濯乾燥機の構成を示す模式図である。図２は、その水冷式除湿器（熱交換器）を拡大して示す縦断正面図（ａ）とそのＡ−Ａ断面図（ｂ）である。
【００１２】
この洗濯乾燥機は、衣類投入口１ａを外蓋２によって開閉可能に覆った外枠１内に、上端開口３ａを内蓋４で開閉可能に覆った外槽３を防振状態に懸垂して支持している。
【００１３】
外槽３内には、洗濯物を入れる洗濯槽５を回転可能に支持し、洗濯槽５内の底部には洗濯物を撹拌する撹拌翼６を回転可能に支持する。洗濯槽５は、側壁に遠心脱水および通風用の多数の小孔５ａを有する。外槽３の底壁の外側に取り付けた電動駆動装置７は、前記洗濯槽５および撹拌翼６を回転駆動する。また、外槽３の底壁に開口した排水口３ｂは、排水電磁弁８を介して排水ホース９に接続する。
【００１４】
洗濯槽５内の洗濯物を乾燥させる乾燥装置１０は、外槽３内の空気を該外槽３の底に近い側壁に設けた吸い出し口３ｃから吸い出して水冷除湿し、次いで加熱した後に吹き込みノズル１１から洗濯槽５の内に吹き込むことにより循環空気１２を生成して洗濯物を乾燥させる。
【００１５】
循環空気１２を水冷除湿する水冷式除湿器（熱交換器）１３は、外槽３に形成した吸い出し口３ｃに接続されて該外槽３の側壁の背面に沿って略垂直立ち上がる姿勢の水冷除湿ダクト１４と、この水冷除湿ダクト１４の下流側である上部の壁面に冷却水１５を流し出す冷却水流出口１６ａを有する冷却水供給管１６と、前記壁面の冷却水流下領域に設けた冷却水流下面積拡大部材としての複数段の突条１７を備える。
【００１６】
図１においては、突条１７を水冷除湿ダクト１４の端面に図示しているが、実際には、図２に示すように、前後の広い側壁面に位置して循環通風路に対面するように設ける。この水冷除湿ダクト１４は、外槽３の背面に沿って外枠１との間の狭い空間に設置することになるので、その通風路の断面形状は、奥行きを狭くした幅広の薄型形状に構成する。具体的には、水冷除湿ダクト１４は、奥行き寸法が３０ｍｍ程度、幅寸法が１３０ｍｍ程度、長さ寸法が５００ｍｍ程度である。従って、冷却水は、循環空気１２との接触面積を多くするために、幅（面積）の広い前後の壁面に沿って流下させるように流し出す。そして、複数段の突条１７は、通風抵抗の増加を軽減するために３ｍｍ程度の高さ寸法で水冷除湿ダクト１４の前後の壁面に略水平方向に伸びるようにジグザグに配置し、冷却水供給管１６の冷却水流出口１６ａから壁面に沿うように流し出した冷却水１５を該壁面に沿って且つ突条１７によって水平方向にジグザグに案内しながら該壁面を伝って流下させる。
【００１７】
そして、水冷除湿ダクト１４の上端（下流）部には循環空気を生成する送風機１８を接続し、この送風機１８から送り出された循環空気１２を加熱して前記吹き込みノズル１１に送り込むヒータ１９を備える。
【００１８】
このように構成した洗濯乾燥機は、洗濯工程においては、洗濯槽５内に洗濯物を投入し、排水電磁弁８を閉じた状態で給水して外槽３に洗濯水を溜め、撹拌翼６を回転させて洗濯物を洗濯する。また、脱水工程においては、排水電磁弁８を開いて外槽３内の洗濯水を排水し、洗濯槽５を回転させて遠心脱水する。
【００１９】
そして、乾燥工程では、排水電磁弁８を開いた状態で洗濯槽３および／または撹拌翼６を回転させると共に、送風機１８を運転して外槽３内の空気を吸い出し口３ｃから吸い出して水冷除湿ダクト１４内を通過させて水冷除湿した後にヒータ１９で加熱して吹き込みノズル１１から洗濯槽５内の洗濯物に向けて吹き込む循環空気１２を生成する。
【００２０】
洗濯槽５内で洗濯物から水分を奪って湿潤して水冷除湿ダクト１４内を通過する循環空気１２の水冷除湿は、冷却水供給管１６の冷却水流出口１６ａから水冷除湿ダクト１４の壁面に流れ出た冷却水１５を該壁面を伝わせて且つ突条１７によって水平方向にジグザグ状態に案内して該壁面の広い範囲に広げて流下させることにより、循環空気１２が水冷除湿ダクト１４内を通過するときに該水冷除湿ダクト１４の壁面を伝って流下する冷却水１５に広い面積で触れさせることにより実現する。
【００２１】
循環空気１２は、水冷除湿ダクト１４内を高速度で上昇しているので、冷却水１５が突条１７の先端縁から溢れ出ると循環空気１２に吹き上げられて水滴となって下流側に飛翔することになる。従って、冷却水１５は、水冷除湿ダクト１４の内壁面と突条１７の上面によって形成される角部内を該突条１７上に沿って溢れ出ないで流れる程度の流量とすることが望ましい。水冷除湿ダクト１４内を上昇する循環空気１２は、突条１７の先端縁に衝突して該突条１７の下流（上面）側で乱流することから該突条１７の上面と壁面によって形成される角部を伝って流れる冷却水１５と良く触れ合って熱交換し、効率良く冷却除湿することができる。
【００２２】
このような水冷式除湿器１３によれば、水冷除湿ダクト１４は、内壁面に沿って且つ突条１７によって水平方向にジグザグ状態に案内されながら該壁面を伝って流下する冷却水１５に広い範囲で循環空気１２を良く触れさせて熱交換し、効率良く冷却除湿することができる。しかも、水冷除湿ダクト１７の内壁面に設ける突条１７は、背丈の低いものであるので、通風抵抗の増加を軽減することができ、また、下流側に飛翔するような水滴の発生を防止することもできる。従って、水冷式除湿器１３の大型化も避けることができる。
【００２３】
次に、本発明の第２の実施の形態を図３を参照して説明する。図３は、この第２の実施の形態における水冷式除湿器（熱交換器）を拡大して示す縦断正面図（ａ）とそのＡ−Ａ断面図（ｂ）である。この第２の実施の形態は、水冷除湿ダクトの壁面に多段に設ける突条を２列に配列した構成に特徴がある。第１の実施の形態と共通する構成については、重複する説明を省略する。
【００２４】
この第２の実施の形態における水冷式除湿器１３は、水冷除湿ダクト１４内の前後の壁面を仕切り板２０によって縦割りに２分割し、分割した２つの領域のそれぞれに略水平方向に伸びる突条１７をジグザグ状態に多段に配置し、冷却水供給管１６の冷却水流出口１６ａ，１６ｂから各列の壁面に沿うように流し出した冷却水１５を該壁面に沿って且つ突条１７によって水平方向にジグザグ状態に案内しながら該壁面を伝って流下させる構成である。
【００２５】
このような水冷式除湿器１３は、突条１７に沿った冷却水１５の流下路が２系統となるので、流下させる冷却水１５の総量が同一であれば、各流下路に流す冷却水１５の流量を１／２にすることができ、従って、各突条１７の背丈を低くして通風抵抗の増加を大幅に軽減することができる。
【００２６】
次に、本発明の、第３の実施の形態を、図４を参照して説明する。図４は、この第３の実施の形態における水冷式除湿器を拡大して示す縦断正面図（ａ）とそのＡ−Ａ断面図（ｂ）である。この第３の実施の形態は、水冷除湿ダクトの壁面に多段に設ける突条を３列に且つ傾斜させて配列した構成に特徴がある。前述した実施の形態と共通する構成については、重複する説明を省略する。
【００２７】
この第３の実施の形態における水冷式除湿器１３は、水冷除湿ダクト１４内の前後の壁面に水平方向に対して約２０度の角度で傾斜して伸びる突条１７を３列にジグザグ状態に多段に配置し、冷却水供給管１６の冷却水流出口１６ａ，１６ｂ，１６ｃから各列の壁面に沿うように流し出した冷却水１５を該壁面に沿って且つ突条１７によって斜めにジグザグ状態に案内しながら該壁面を伝って流下させる構成である。また、各列の突条１７は、隣の列の突条１７の傾斜によって開いた領域に各列の閉じるように傾斜した側を入り込むように配列して突条１７の配列密度を高めるようにしている。
【００２８】
このような水冷式除湿器１３は、突条１７に沿った冷却水１５の流下路が３系統となるので、流下させる冷却水１５の総量が同一であれば、各流下路に流す冷却水１５の流量を１／３にすることができ、しかも、傾斜した突条１７は冷却水１５が流下し易いことから、各突条１７の背丈を更に低くして通風抵抗の増加を大幅に軽減することができる。しかも、突条１７が傾斜していることから該突条１７の下流に発生する乱流が縦長の渦となることから、通風抵抗が一層小さくなる。また、各列の突条１７は、入り組むように配列したことによって配列密度が高くなり、冷却水１５の流下面積が広がって熱交換（冷却除湿）効率を高めることができる。
【００２９】
次に、本発明の、第４の実施の形態を、図５を参照して説明する。図５は、この第４の実施の形態における水冷式除湿器を拡大して示す縦断正面図（ａ）とそのＡ−Ａ断面図（ｂ）である。この第４の実施の形態は、冷却水流下面積拡大部材をパンチングメタルで形成した構成に特徴がある。前述した実施の形態と共通する構成については、重複する説明を省略する。
【００３０】
この第４の実施の形態における水冷式除湿器１３は、水冷除湿ダクト１４内の前後の壁面に沿って微小間隙を介在させてパンチングメタル２１を設置し、冷却水供給管１６の３つの冷却水流出口１６ａ，１６ｂ，１６ｃから水冷除湿ダクト１４内の壁面に沿って冷却水１５を流し出し、水冷除湿ダクト１４の壁面とパンチングメタル２１の間の微小間隙の毛細管力によって冷却水１５を該微小間隙の全域に拡散するように流下させる構成である。パンチングメタル２１は、多数の開口２１ａを有し、冷却水１５は開口２１ａ内で風路に露出して循環空気１２と接触することにより該循環空気１２を冷却除湿する。また、冷却水１５は、パンチングメタル２１をも冷却することから該パンチングメタル２１に接触する循環空気１２を冷却除湿する。
【００３１】
水冷除湿ダクト１４内を流れる循環空気１２は、パンチングメタル２１の開口２１ａによる段差によって乱流するが、パンチングメタル２１を薄い鋼材で形成することにより、この乱流による通風抵抗の増加を極めて小さくすることができる。
【００３２】
なお、この第４の実施の形態における冷却水流下面積拡大部材は、パンチングメタル２１の代りにエキスパンダーメッシュやガーゼ等を用いても同様な効果を期待することができる。パンチングメタル２１は、熱抵抗とならないように熱伝導性に優れた金属とすることが好ましいが、コストや錆等の問題がある場合には樹脂等の素材に変えることもできる。
【００３３】
次に、本発明の第５の実施の形態を図６を参照して説明する。図６は、この第５の実施の形態における水冷式除湿器の一部を拡大して示す斜視図である。この第５の実施の形態は、水冷除湿ダクトの内壁に設ける突条を螺旋状に形成した構成に特徴がある。前述した実施の形態と共通する構成については、重複する説明を省略する。
【００３４】
この実施の形態における水冷式除湿器１３は、水冷除湿ダクト１４内の４つの壁面に連続した螺旋状の突条１７を設け、冷却水を、壁面を伝わせて螺旋状に流下させる構成である。
【００３５】
この第５の実施の形態は、水冷除湿ダクト１４内の４つの壁面を冷却水流下面として利用することができるので、冷却水と循環空気の接触面積を大きくすることができる。突条１７は、複数条の螺旋形状に構成することもできる。
【００３６】
次に、本発明の、第６の実施の形態を、図７を参照して説明する。図７は、この第６の実施の形態における水冷式除湿器の一部を拡大して示す斜視図である。この第６の実施の形態は、水冷除湿ダクト内を仕切って２つの風路を形成し、各風路の内壁面に螺旋状の突条を設けた構成に特徴がある。前述した実施の形態と共通する構成については、重複する説明を省略する。
【００３７】
この実施の形態における水冷式除湿器１３は、水冷除湿ダクト１４内を仕切り板２２によって縦割りの２つの風路に分割し、各風路内の４つの壁面に連続した螺旋状の突条１７を設け、冷却水を、壁面を伝わせて螺旋状に流下させる構成である。
【００３８】
この第６の実施の形態は、水冷除湿ダクト１４内を仕切って２つの風路を形成し、各風路の４つの壁面を冷却水流下面として利用することができるので、冷却水と循環空気の接触面積を大きくすることができる。突条１７は、複数条の螺旋形状に構成することもできる。
【００３９】
なお、前述した第５，第６の実施の形態における螺旋状の突条１７は、水冷除湿ダクト１４の壁面に沿って挿入した通水用のスパイラルホースに変えることもできる。
【００４０】
次に、本発明の、第７の実施の形態を、図８を参照して説明する。図８は、この第７の実施の形態における水冷式除湿器の一部を拡大して示す斜視図である。この第７の実施の形態は、水冷除湿ダクトの壁面を伝って該壁面の下端部に流下した冷却水が該水冷除湿ダクトに流入する循環空気によって吹き上げられて下流まで飛翔する水滴が発生しないように該水冷除湿ダクトの下端部に排水案内凸部を設けた構成に特徴がある。前述した実施の形態と共通する構成については、重複する説明を省略する。
【００４１】
この実施の形態において、水冷式除湿器１３は、水冷除湿ダクト１４の下端部を外槽３に設けた吸い出し口３ｃに接続している。吸い出し口３ｃから水冷除湿ダクト１４の下端に水平方向に流れ込む循環空気１２は、略垂直状態の水冷除湿ダクト１４の下端部において該水冷除湿ダクト１４に沿って略垂直に上昇するように方向転換する。この方向転換部位に面する水冷除湿ダクト１４の内側の、壁面の下端縁まで冷却水１５を流下させると、冷却水１５は壁面の下端縁から風路内に垂れ落ちることになり、循環空気１２に吹き上げられることによって水滴を飛翔させる。排水案内凸部２３は、水冷除湿ダクト１４の内側の、壁面の下部に突条１７に沿って流下する冷却水１５を両端部に仕切り板２４によって形成した通風の陰部に導き、流速の速い循環空気１２に曝される形態で垂れ落ちることがないように構成する。
【００４２】
仕切り板２４には排水口２４ａを形成し、陰部に溜った冷却水１５を吸い出し口３ｃの底壁面に沿って外槽３内に流入させる。
【００４３】
水冷除湿ダクト１４の下端部をこの実施の形態のように構成することにより、下流まで飛翔して障害となる水滴の発生を防止することができる。
【００４４】
次に、本発明の、第８の実施の形態を、図９を参照して説明する。図９は、この第８の実施の形態における水冷式除湿器の縦断側面図である。この第８の実施の形態は、水冷除湿ダクト内に風路に沿って熱交換板を設置し、この熱交換板の表面に突条を設けた構成に特徴がある。前述した実施の形態と共通する構成については、重複する説明を省略する。
【００４５】
この実施の形態における水冷式除湿器１３は、水冷除湿ダクト１４内の前後方向の略中間位置に金属製の熱交換板２５を垂直状態に設置し、水冷除湿ダクト１４内を前後に２分割するように縦割りしている。この熱交換板２５は、後側（図中右側）の壁面に前述した実施の形態と同様な突条１７を設け、熱交換板２５の下端部は、外槽３の側壁に設けた吸い出し口３ｃに向けて湾曲させて案内部２５ａを形成する。この案内部２５ａには、突条１７を設けない。そして、冷却水供給管１６の冷却水流出口１６ａから前記後側の壁面上に冷却水１５を流し出すように構成する。
【００４６】
このような水冷式除湿器１３は、吸い出し口３ｃから流入する循環空気１２を熱交換板２５の下端部２５ａによって前後の流路に円滑に分流させる。そして、後側の流路に分流した循環空気１２は、前述した実施の形態における循環空気１２と同様に、突条１７に沿って流下する冷却水１５と該冷却水１５によって冷却された熱交換板２５に触れさせて冷却除湿する。また、前側の流路に分流した循環空気１２は、冷却水１５によって冷却された熱交換板２５に触れさせて冷却除湿する。
【００４７】
熱交換板２５の後側の壁面を流下する冷却水１５は、案内部２５ａの後側の、空間の両端部を流れ落ちるように構成することにより、下流側まで飛翔する水滴が発生するのを防止する。
【００４８】
次に、本発明の、第９の実施の形態を、図１０を参照して説明する。図１０は、この第９の実施の形態における水冷式除湿器を拡大して示す縦断正面図（ａ）とそのＡ−Ａ断面図である。この第９の実施の形態は、水冷除湿ダクト内に風路に沿って熱交換板を設置し、この熱交換板の表面に垂直方向に伸びる複数の突条を横方向に並べて配置した構成に特徴がある。前述した実施の形態と共通する構成については、重複する説明を省略する。
【００４９】
この実施の形態における水冷式除湿器１３は、熱交換板２５の表面に略垂直方向に伸びる複数本の突条１７を間隔をあけて横方向に並べて設置し、各突条１７の間に冷却水供給管１６の複数の冷却水流出口１６ａから冷却水１５を流下させる構成である。
【００５０】
この第９の実施の形態は、突条１７の本数を多くすことによって冷却水１５と循環空気１２の接触面積を大きくして熱交換性能を高めることができる。
【００５１】
次に、本発明の、第１０の実施の形態を、図１１を参照して説明する。図１１は、この第１０の実施の形態における水冷式除湿器を拡大して示す縦断正面図（ａ）とそのＡ−Ａ断面図である。この第１０の実施の形態は、水冷除湿ダクト内に風路に沿って熱交換板を設置し、この熱交換板の表面にシャワー状に冷却水を流し込む構成に特徴がある。前述した実施の形態と共通する構成については、重複する説明を省略する。
【００５２】
この第１０の実施の形態における水冷式除湿器１３は、熱交換板２５の表面に略垂直方向に伸びる複数本の突条２０を、間隔をあけて横方向に並べて設置し、各突条２０の間に冷却水供給管１６の１つの冷却水流出口１６ａから冷却水１５をシャワー状（扇形に広がるように）に流出させて各突条２０の間に流し込んで流下させる構成である。
【００５３】
この実施の形態も、突条２０の本数を多くすることによって冷却水１５と循環空気１２の接触面積を大きくして熱交換性能を高めることができる。
【００５４】
前述した各実施の形態における突条１７，２０は、これと同様な水路を構成する凹条に変えることもできる。また、熱交換板２５の両面に突条１７，２０または凹条を設けて冷却水１５と循環空気１２の接触面積を更に大きくすることもできる。また、熱交換板２５および突条１７，２０は、熱抵抗にならないように、熱伝導性に優れた金属とすることが望ましいが、コストや錆等の問題がある場合には、樹脂等の素材に変えることができる。
【００５５】
そして、このような水冷式除湿器（熱交換器）は衣類乾燥機や食器洗浄乾燥機等に用いることができる。
【００５６】
【発明の効果】
本発明は、空気を循環させる風路内に略垂直な壁面を形成するように設置した金属製の熱交換板と、前記熱交換板の前記壁面の上部に該壁面に冷却水を流し出して該壁面を伝わせて流下させる冷却水供給管と、前記壁面の冷却水流下領域に設けた冷却水流下面積拡大部材を設け、前記冷却水供給管は、前記熱交換板の壁面と冷却水流下面積拡大部材によって形成される角部内を流下する冷却水が該冷却水流下面積拡大部材上に沿って溢れ出ないで流れる程度の流量の冷却水を前記壁面に供給するようにしたことによって、風路内を流れる空気と冷却水の接触面積を広めると共に金属製の熱交換板を介しても空気を冷却するので熱交換（冷却除湿）効率を高めると共に水滴が空気に乗って下流側に飛翔するのを防止することができる。
【００５７】
また、冷却水の流下面積を広めることによって水冷式熱交換器（水冷除湿器）を小型に構成することができる。
【００５８】
また、通風路に吐出する部材を小さくして水冷式熱交換器（水冷除湿器）の通風抵抗を小さくすることができる。
【図面の簡単な説明】
【図１】本発明の第１の実施の形態における洗濯乾燥機の構成を示す模式図である。
【図２】図１に示した洗濯乾燥機の水冷式除湿器（熱交換器）を拡大して示す縦断正面図（ａ）とそのＡ−Ａ断面図（ｂ）である。
【図３】本発明の第２の実施の形態における水冷式除湿器を拡大して示す縦断正面図（ａ）とそのＡ−Ａ断面図（ｂ）である。
【図４】本発明の第３の実施の形態における水冷式除湿器を拡大して示す縦断正面図（ａ）とそのＡ−Ａ断面図（ｂ）である。
【図５】本発明の第４の実施の形態における水冷式除湿器を拡大して示す縦断正面図（ａ）とそのＡ−Ａ断面図（ｂ）である。
【図６】本発明の第５の実施の形態における水冷式除湿器の一部を拡大して示す斜視図である。
【図７】本発明の第６の実施の形態における水冷式除湿器の一部を拡大して示す斜視図である。
【図８】本発明の第７の実施の形態における水冷式除湿器の一部を拡大して示す斜視図である。
【図９】本発明の第８の実施の形態における水冷式除湿器の縦断側面図である。
【図１０】本発明の第９の実施の形態における水冷式除湿器を拡大して示す縦断正面図（ａ）とそのＡ−Ａ断面図（ｂ）である。
【図１１】本発明の第１０の実施の形態における水冷式除湿器を拡大して示す縦断正面図（ａ）とそのＡ−Ａ断面図（ｂ）である。
【符号の説明】
３…外槽、５…洗濯槽、６…撹拌翼、１３…水冷式除湿器（熱交換器）、１４…水冷除湿ダクト、１５…冷却水、１６…冷却水供給管、１７…突条。
【図１】
0003710725.tif 000002
【図２】
0003710725.tif 000003
【図３】
0003710725.tif 000004
【図４】
0003710725.tif 000005
【図５】
0003710725.tif 000006
【図６】
0003710725.tif 000007
【図７】
0003710725.tif 000008
【図８】
0003710725.tif 000009
【図９】
0003710725.tif 000010
【図１０】
0003710725.tif 000011
【図１１】
0003710725.tif 000012